(57)【要約】【課題】自分の顔を瞬時に別人の顔に変えてみせるにおいて、観衆の興趣をより一層高めることができる小道具及び小道具の使用方法を提供することを目的とする。【解決手段】プルオーバー型の上衣１０の前身頃裏地１１Ｂのうち左右の袖ぐりの下端１４Ｇ，１４Ｇ同士を結ぶラインＬを跨ぐ位置に、人物、動物及びキャラクターのうちのいずれかの顔をかたどった絵又は写真から成る正面像２１が上衣１０の上下方向に対して倒立状態で設けられる。上衣１０には裏側が透けて見えない生地のものが採用される。上衣１０を着用する使用者３０が裾部１１ａを引き上げて左右の腋３６，３６を露出させると、使用者３０の頭部３１の前方に、正面像２１が、使用者３０から見た正立状態で現れる。【選択図】図３
2017160588.tif 000002
【特許請求の範囲】
【請求項１】
プルオーバー型の上衣の前身頃の裏地のうち左右の袖ぐりの下端同士を結ぶラインを跨ぐ位置に、人物、動物及びキャラクターのうちのいずれかの顔をかたどった像が前記上衣の上下方向に対して倒立状態で設けられ、
前記上衣には裏側が透けて見えない生地のものが採用され、
前記上衣を着用する使用者によって、前記使用者の左右の腋が露出するように裾部が引き上げられ、前記使用者の頭部の前方に、前記像が、前記使用者から見た正立状態で現れるように使用されることを特徴とする小道具。
【請求項２】
前記像は絵又は写真から成ることを特徴とする請求項１に記載の小道具。
【請求項３】
前記上衣がＴシャツ、トレーナー、スウェット及びセーターのうちのいずれかであることを特徴とする請求項１又は２に記載の小道具。
【請求項４】
プルオーバー型の上衣の前身頃の裏地のうち左右の袖ぐりの下端同士を結ぶラインを跨ぐ位置に、人物、動物及びキャラクターのうちのいずれかの顔をかたどった像が前記上衣の上下方向に対して倒立状態で設けられ、前記上衣には裏側が透けて見えない生地のものが採用された小道具の使用方法であって、
前記上衣を着用する使用者によって、前記使用者の左右の腋が露出するように裾部が引き上げられ、前記使用者の頭部の前方に、前記像が、前記使用者から見た正立状態で現れるように使用されることを特徴とする小道具の使用方法。
【発明の詳細な説明】
【技術分野】
【０００１】
本発明は、瞬時に顔を別人の顔に変化させて観衆を笑わせ或いは驚かせる小道具及び小道具の使用方法に関する。
【背景技術】
【０００２】
観衆に対して芸を行う者等が、自分の顔を瞬時に別人の顔等に変えることで観衆を笑わせ或いは驚かせる芸を披露する場合がある。この場合には、従来、他人の顔等をかたどった絵や写真等から作成したお面（例えば、特許文献１）を用意しておき、これを予め手に持っていたり近くにおいておいたりして、必要なときに取り出すようにしていた。
【先行技術文献】
【特許文献】
【０００３】
【特許文献１】特開２００５−１３９５９３号公報
【発明の概要】
【発明が解決しようとする課題】
【０００４】
しかしながら、上記お面のような小道具を手にすることなく顔を変化させることができれば、観衆に更に意外性を感じさせて、より一層興趣を高めることができる。
【０００５】
そこで本発明は、自分の顔を瞬時に別人の顔に変えてみせるにおいて、観衆の興趣をより一層高めることができる小道具及び小道具の使用方法を提供することを目的とする。
【課題を解決するための手段】
【０００６】
本発明の小道具は、プルオーバー型の上衣の前身頃の裏地のうち左右の袖ぐりの下端同士を結ぶラインを跨ぐ位置に、人物、動物及びキャラクターのうちのいずれかの顔をかたどった像が前記上衣の上下方向に対して倒立状態で設けられ、前記上衣には裏側が透けて見えない生地のものが採用され、前記上衣を着用する使用者によって、前記使用者の左右の腋が露出するように裾部が引き上げられ、前記使用者の頭部の前方に、前記像が、前記使用者から見た正立状態で現れるように使用される。また本発明の小道具の使用方法は、プルオーバー型の上衣の前身頃の裏地のうち左右の袖ぐりの下端同士を結ぶラインを跨ぐ位置に、人物、動物及びキャラクターのうちのいずれかの顔をかたどった像が前記上衣の上下方向に対して倒立状態で設けられ、前記上衣には裏側が透けて見えない生地のものが採用された小道具の使用方法であって、前記上衣を着用する使用者によって、前記使用者の左右の腋が露出するように裾部が引き上げられ、前記使用者の頭部の前方に、前記像が、前記使用者から見た正立状態で現れるように使用される。
【発明の効果】
【０００７】
本発明によれば、自分の顔を瞬時に別人の顔に変えてみせるにおいて、観衆の興趣をより一層高めることができる。
【図面の簡単な説明】
【０００８】
【図１】本発明の一実施の形態における小道具の正面図
【図２】本発明の一実施の形態における小道具を使用者が着用している状態の正面図
【図３】本発明の一実施の形態における小道具の使用状態を示す正面図
【図４】本発明の一実施の形態における小道具の背面図
【図５】本発明の一実施の形態における小道具を使用者が着用している状態の背面図
【図６】本発明の一実施の形態における小道具の使用状態を示す背面図
【発明を実施するための形態】
【０００９】
以下、図面を参照して本発明の実施の形態について説明する。図１は本発明の一実施の形態における小道具１を示している。小道具１は、人が通常において着用するプルオーバー型（いわゆるかぶり型）の上衣１０をベースとしている。上衣１０は前身頃１１、後身頃１２、襟部１３等を有していればよいが、本実施の形態では、更に、上衣１０が左右の長袖部１４，１４を備えたトレーナーであるとして説明する。
【００１０】
図１において、小道具１は、上衣１０の前身頃１１の裏地（前身頃裏地１１Ｂと称する）に、人物の顔の像（正面像２１と称する）を上衣１０の上下方向に対して倒立状態で備えている。正面像２１は絵や写真等から成るものとし、上衣１０の前身頃裏地１１Ｂに直接描かれ、貼り付けられ、プリントされ、或いは縫い付けられている。正面像２１を描き、貼り付け、プリントし、或いは縫い付けた布地等が前身頃裏地１１Ｂに貼り付けられ、縫い付けられたりしているのであってもよい。正面像２１が設けられる具体的な位置は、前身頃裏地１１Ｂのうち、上衣１０の左右の袖ぐり（上衣１０に形成された左右の腕を通すための孔）の下端１４Ｇ，１４Ｇ同士を結ぶラインＬを上衣１０の上下に跨ぐ（跨いで広がった）位置とする（図１）。
【００１１】
図２に示すように、小道具１を使用する者（以下、使用者３０と称する）は、上衣１０の襟部１３に頭部３１及び頸部３２を通すとともに左右の長袖部１４，１４に左右の腕３３，３３を通すことによって、上衣１０を着用する。使用者３０が上衣１０を着用すると、使用者３０の胴部３４の前方に前身頃１１が位置し、胴部３４の後方に後身頃１２が位置する。そして、この状態から、使用者３０が左右の手３５，３５で前身頃１１の裾部１１ａをつかみ、そのうえで裾部１１ａを勢いよく引き上げて左右の腋３６，３６を露出させるようにすると（図３）、前身頃１１と後身頃１２はそれぞれ裏返って、使用者３０の頭部３１が上衣１０により覆われるとともに、胴部３４が露出した状態となる。この一連の動作は、人が通常、着用していた上衣を脱ぐ際の動作と同じである。
【００１２】
上記のように、使用者３０が上衣１０の裾部１１ａを引き上げて左右の腋３６，３６が露出し、前身頃１１及び後身頃１２がそれぞれ裏返ると、前身頃裏地１１Ｂに備えられた正面像２１が、使用者３０の頭部３１の前方の位置（使用者３０の顔の前）に、使用者３０から見た正立状態で現れる（図３）。このため、使用者３０が上記一連の動作を行うと、使用者３０の顔が瞬時に別人の顔に変化したように見え、観衆は面白味や驚きを感じて興趣を覚える。
【００１３】
ここで、上衣１０は、通常において人が身に着けるものであるから、これを着て観衆の前に現れても不自然でないうえ、使用者３０が上衣１０を脱ぐ動作を始めたとしても、観衆はその行為が顔を他人の顔に変えてみせる行為とは思わない。このため、観衆は意表をつかれ、意外性を感じて、より興趣を覚える。
【００１４】
また、本実施の形態における小道具１では、更に、図４及び図５に示すように、後身頃１２の裏地（後身頃裏地１２Ｂと称する）に、正面像２１に描かれた人物の後頭部をかたどった絵又は写真から成る像（背面像２２と称する）が上衣１０の上下方向に対して倒立状態で設けられていてもよい。具体的には、背面像２２は、上衣１０の左右の袖ぐりの下端１４Ｇ，１４Ｇ同士を結ぶラインＬを上衣１０の上下に跨ぐ位置に設けられるようにする（図４）。
【００１５】
このようにすれば、使用者３０が裾部１１ａを引き上げて左右の腋３６，３６を露出させると（図６）、前身頃１１が使用者３０の頭部３１の前方に位置するとともに後身頃１２が使用者３０の頭部３１の後方に位置し、後身頃裏地１２Ｂに備えらえた背面像２２が、使用者３０の頭部３１の後方に、使用者３０から見た正立状態で現れる。この状態では、使用者３０の前方に正面像２１が現れるとともに、頭部３１の後方に背面像２２が現れるので、使用者３０が正面側だけでなく背面側も観衆に見せれば、観衆の興趣は更に高められる。
【００１６】
以上説明したように、本実施の形態における小道具１では、プルオーバー型の上衣１０の前身頃裏地１１Ｂのうち左右の袖ぐりの下端１４Ｇ，１４Ｇ同士を結ぶラインＬを跨ぐ位置に、人物の顔をかたどった絵又は写真から成る正面像２１が上衣１０の上下方向に対して倒立状態で設けられており、使用者３０が裾部１１ａを引き上げて左右の腋３６，３６を露出させる動作（上衣１０を脱ぐ動作）を行うと、上衣１０の前身頃１１が裏返った状態で使用者３０の頭部３１の前方に位置し、使用者３０の顔の前に、使用者３０とは別人の顔等の正面像２１が現れる。このため観衆は、使用者３０の顔が突然他人の顔に変化したことに対して興趣を覚えるうえ、上衣１０を脱ぐという行為から顔の変化が生じることにも意外性を感じて更なる興趣を覚える。このように本実施の形態における小道具１によれば、自分の顔を瞬時に別人の顔に変えてみせるにおいて、観衆の興趣をより一層高めることができる。
【００１７】
これまで本発明の実施の形態を説明してきたが、本発明の範囲は上述の実施の形態に示したものに限定されない。例えば、上述の実施の形態では、上衣１０が左右の長袖部１４，１４を備えたトレーナーであるとして説明したが、プルオーバー型の上衣であればよい。従って、長袖部１４，１４を有する他の上衣１０、例えばスウェットやセーター等であってもよいし、長袖部１４，１４の代わりに半袖部を有したＴシャツや、袖のないタンクトップシャツ等であってもよい。但し、使用者３０が上衣１０を着用した状態において、上衣１０の裏地側に何か（ここでは正面像２１や背面像２２）が備えられていることが観衆から見えることは好ましくないため、上衣１０には裏側が透けて見えない生地のものを採用するようにする。或いは上衣１０の表地に別途布地等を縫い付けておいたり、正面像２１や背面像２２とは全く無関係の図柄や写真等をプリントしておいたりしてもよい。
【００１８】
また、上述の実施の形態では、正面像２１に描かれるのは人物の顔であるとしていたが、その他、動物やキャラクター等の顔とすることもできる。すなわち小道具１は、プルオーバー型の上衣１０の前身頃１１の裏地（前身頃裏地１１Ｂ）のうち、左右の袖ぐりの下端１４Ｇ，１４Ｇ同士を結ぶラインＬを跨ぐ位置に、人物、動物及びキャラクターのうちのいずれかの顔をかたどった像（正面像２１）が上衣１０の上下方向に対して倒立状態で設けられていればよい。また、背面像２２も、正面像２１に描かれた人物の後頭部に限定されず、人物、動物及びキャラクターのうちのいずれかの後頭部をかたどった像（絵又は写真からなる像）でよい。
【００１９】
なお、本発明における上衣の表地及び裏地は相対的なものである。よって、本発明の小道具を販売するとき等において、人物、動物及びキャラクターのうちのいずれかの顔をかたどった像が表地に設けられていたとしても、その上衣の裏表を反転させたときに、その像が、上衣の前身頃の裏地のうち左右の袖ぐりの下端同士を結ぶラインを跨ぐ位置に、上衣の上下方向に対して倒立状態で設けられた状態となるのであれば、その小道具は本発明の範囲に含まれる。
【００２０】
また、本発明の小道具は見掛け上、Ｔシャツ、トレーナー、スウェット及びセーター等の上衣にも見え、また実際、そのような上衣として使用することが可能である。よって、本発明の小道具をＴシャツ、トレーナー、スウェット及びセーター等の上衣として販売したとしても、本発明の構成を備えているものは、本発明の範囲に含まれる。
【産業上の利用可能性】
【００２１】
自分の顔を瞬時に別人の顔に変えてみせるにおいて、観衆の興趣をより一層高めることができる小道具及び小道具の使用方法を提供する。
【符号の説明】
【００２２】
１  小道具
１０  上衣
１１  前身頃
１１ａ  裾部
１１Ｂ  前身頃裏地（裏地）
１４Ｇ  下端
２１  正面像（像）
３０  使用者
３１  頭部
３６  腋
【図１】
2017160588.tif 000003
【図２】
2017160588.tif 000004
【図３】
2017160588.tif 000005
【図４】
2017160588.tif 000006
【図５】
2017160588.tif 000007
【図６】
2017160588.tif 000008